(57)【要約】      （修正有）【課題】紐掛け部品が備えられていない部屋であっても洗濯物を干すことが可能な紐状体を内蔵するスーツケースを提供する。【解決手段】ケース本体と、このケース本体の開口を塞ぐ蓋体とを主要素とするスーツケース１０、１０Ｂにおいて、底に複数のキャスターを有すると共に上部に紐状体８０、８０Ｂを巻き取る紐状体巻き取り機構を内蔵しており、紐状体は洗濯物を吊すことができる強度を有しており、複数のキャスターのうち、少なくとも２個にストッパ機構４０を備え、紐状体に洗濯物を吊したときにスーツケースが床上を移動しないようにした。ケース本体は、上部に上方へ引き出すことができる伸縮ハンドル２０、２０Ｂを備え、この伸縮ハンドルに利用者が握る握り部２２、２２Ｂを備え、この握り部自身又は伸縮ハンドルの握り部近傍に、紐状体を案内するガイド溝２５Ｌ、２５Ｒが設けられている。【選択図】図７
0003216666.tif 000002
【実用新案登録請求の範囲】
【請求項１】
ケース本体と、このケース本体の開口を塞ぐ蓋体とを主要素とするスーツケースにおいて、
このスーツケースは、底に複数のキャスターを有すると共に上部に紐状体を巻き取る紐状体巻き取り機構を内蔵しており、前記紐状体は洗濯物を吊すことができる強度を有しており、
前記複数のキャスターのうち、少なくとも２個にストッパ機構を備え、前記紐状体に前記洗濯物を吊したときにスーツケースが床上を移動しないようにしたことを特徴とするスーツケース。
【請求項２】
請求項１記載のスーツケースであって、
前記ケース本体は、上部に上方へ引き出すことができる伸縮ハンドルを備え、この伸縮ハンドルに利用者が握る握り部を備え、この握り部自身又は前記伸縮ハンドルの前記握り部近傍に、前記紐状体を案内するガイド溝が設けられていることを特徴とするスーツケース。
【請求項３】
請求項２記載のスーツケースであって、
前記ケース本体は、上部に前記握り部を収納する凹部を備え、この凹部の底面に前記紐状体巻き取り機構の操作面が露出していることを特徴とするスーツケース。
【請求項４】
請求項３記載のスーツケースであって、
前記紐状体は、先端に利用者が摘むリングを備え、
前記操作面に、前記リングを挿入することができるリング挿入口が設けられていることを特徴とするスーツケース。
【請求項５】
請求項１〜４のいずれか１記載のスーツケースであって、
前記紐状体に、寸法を測る目盛りが付されていることを特徴とするスーツケース。
【考案の詳細な説明】
【技術分野】
【０００１】
本考案は、紐状体を備えたスーツケースに関する。
【背景技術】
【０００２】
外泊にホテルや旅館を利用することが少なくない。汚れた衣類はクリーニングに出すことができるが、ハンカチーフやタオルや靴下などの小さな汚れ物は、クリーニングに出し難い。そこで、部屋に備え付けの洗面ボールなどで利用者自身が洗濯することとなる。
【０００３】
ホテルや旅館の部屋に、物干しロープが備えられていれば問題はないが、少数である。そこで、利用者は、物干しロープを用意する必要がある。このような用途に供する物干しロープが各種提案されている（例えば、特許文献１（図３）参照）。
【０００４】
特許文献１に示される万能ロープは、２本のポール状の保持部材に渡して使用する。
しかし、ホテルや旅館の多くの部屋には、２本のポール状の保持部材や、これらに代わる２個の紐掛け部品が備えられていない。
また、万能ロープをバッグやスーツケースに入れて、持ち歩くと、出し入れの際に、入れ忘れて紛失する可能性がある。紛失すると新品を買い直さなければならず、不経済である。
【０００５】
ロープが紛失する心配が無く、２個の紐掛け部品が備えられていない部屋であっても洗濯物を干すことができることが望まれる。
【先行技術文献】
【特許文献】
【０００６】
【特許文献１】実用新案登録第３１０４８５４号公報
【考案の概要】
【考案が解決しようとする課題】
【０００７】
本考案は、紐掛け部品が備えられていない部屋であっても洗濯物を干すことが可能な紐状体を内蔵するスーツケースを提供することを課題とする。
【課題を解決するための手段】
【０００８】
請求項１に係る考案は、ケース本体と、このケース本体の開口を塞ぐ蓋体とを主要素とするスーツケースにおいて、
このスーツケースは、底に複数のキャスターを有すると共に上部に紐状体を巻き取る紐状体巻き取り機構を内蔵しており、前記紐状体は洗濯物を吊すことができる強度を有しており、
前記複数のキャスターのうち、少なくとも２個にストッパ機構を備え、前記紐状体に前記洗濯物を吊したときにスーツケースが床上を移動しないようにしたことを特徴とする。
【０００９】
請求項２に係る考案は、請求項１記載のスーツケースであって、
前記ケース本体は、上部に上方へ引き出すことができる伸縮ハンドルを備え、この伸縮ハンドルに利用者が握る握り部を備え、この握り部自身又は前記伸縮ハンドルの前記握り部近傍に、前記紐状体を案内するガイド溝が設けられていることを特徴とする。
【００１０】
請求項３に係る考案は、請求項２記載のスーツケースであって、
前記ケース本体は、上部に前記握り部を収納する凹部を備え、この凹部の底面に前記紐状体巻き取り機構の操作面が露出していることを特徴とする。
【００１１】
請求項４に係る考案は、請求項３記載のスーツケースであって、
前記紐状体は、先端に利用者が摘むリングを備え、
前記操作面に、前記リングを挿入することができるリング挿入口が設けられていることを特徴とする。
【００１２】
請求項５に係る考案は、請求項１〜４のいずれか１記載のスーツケースであって、
前記紐状体に、寸法を測る目盛りが付されていることを特徴とする。
【考案の効果】
【００１３】
請求項１に係る考案では、スーツケースの上部に紐状体を巻き取る紐状体巻き取り機構を内蔵しており、紐状体は洗濯物を吊すことができる強度を有している。
スーツケースの底に複数のキャスターを備え、複数のキャスターのうち少なくとも２個にストッパ機構を備えているため、紐状体で引かれてもスーツケースが床上を移動する心配がない。
よって、請求項１によれば、紐掛け部品が備えられていない部屋であっても洗濯物を干すことが可能な紐状体を内蔵するスーツケースが提供される。
【００１４】
請求項２に係る考案では、スーツケースは、伸縮ハンドルを備え、この伸縮ハンドルの握り部自身又は握り部近傍に、紐状体を案内するガイド溝が設けられている。
伸縮ハンドルを伸ばし、高位置になったガイド溝に紐部材を沿わせる。紐部材が高位置にあるため、洗濯物の裾が床に着き難くなり、比較的大きな洗濯物をも干すことができる。
【００１５】
請求項３に係る考案では、ケース本体の上部に握り部を収納する凹部を備え、この凹部の底面に紐状体巻き取り機構の操作面を露出させた。
伸縮ハンドルを短縮すると、握り部が凹部に嵌り、この握り部が操作面を覆う。外部の物品が握り部に当たっても、操作面は握り部で保護され、外部の物品で傷付く心配はない。
【００１６】
請求項４に係る考案では、操作面に、紐状体先端のリングを挿入することができるリング挿入口が設けられている。
２個のスーツケースを、一定間隔離した状態で置き、一方のスーツケースから伸ばした紐状体の先端を他方のスーツケースのリング挿入口に挿入して止める。
スーツケースが１個の場合は、伸ばした紐状体を手摺りなどに掛けて折り返し、先端を自分のリング挿入口に挿入して止める。
多くのホテルや旅館では、部屋の壁にリングを止める金具が設けられていない。この場合であっても、紐状体を張ることができる。
【００１７】
請求項５に係る考案では、紐状体に、寸法を測る目盛りが付されているため、メジャーが無くても、物品の採寸が可能となる。メジャーを持ち歩く必要がないので便利である。
【図面の簡単な説明】
【００１８】
【図１】本考案に係るスーツケースの斜視図である。
【図２】ストッパ機構付きキャスターの側面図である。
【図３】ストッパ機構付きキャスターの作用を説明する図である。
【図４】紐状体巻き取り機構の斜視図である。
【図５】紐状体巻き取り機構の断面図である。
【図６】図５の６−６線断面図である。
【図７】紐状体の作用を説明する図である。
【図８】目盛りが付された紐状体を示す図である。
【図９】紐状体の他の用途を説明する図である。
【考案を実施するための形態】
【００１９】
本考案の実施の形態を添付図に基づいて以下に説明する。
【実施例】
【００２０】
図１に示すように、スーツケース１０は、ケース本体１１と、このケース本体１１の開口を塞ぐ蓋体１２とを主要素とする。
ケース本体１１は、底に２個のキャスター１８を備え、側面にハンドル１５を備え、上面にハンドル１６及び引き出し可能な伸縮ハンドル２０を備えている。
蓋体１２は、底に２個のストッパ機構付きキャスター３０を備えている。
【００２１】
なお、ケース本体１１に備えたキャスター１８はストッパ無しであるが、これらをストッパ機構付きキャスター３０に変更することは差し支えない。
また、蓋体１２にキャスター１８を備え、ケース本体１１にストッパ機構付きキャスター３０を備えてもよい。
【００２２】
ところで、ストッパ機構付きキャスター３０が１個のみであると、スーツケース１０に略水平の外力が加わった場合、ストッパ機構付きキャスター３０を中心にスーツケース１０が水平旋回する心配がある。ストッパ機構付きキャスター３０が２個以上であれば、その心配はない。
よって、スーツケース１０に、少なくとも２個のストッパ機構付きキャスター３０を備える。
【００２３】
伸縮ハンドル２０は、左右２本の棒状部材２１Ｌ、２１Ｒ（Ｌは左、Ｒは右を示す添え字。以下同）と、これらの棒状部材２１Ｌ、２１Ｒの上端同士を繋ぐ握り部２２とを備えている。利用者は握り部２２を握って、伸縮ハンドル２０を伸縮させる。
【００２４】
握り部２２は、上面中央に、ロック解除ボタン２３を有する。利用者は、ロック解除ボタン２３を押しながら、握り部２２を引き上げる又は押し下げる。適当な所で、ロック解除ボタン２３を開放すると、棒状部材２１Ｌ、２１Ｒはその位置でケース本体１１にロックされる。
【００２５】
また、握り部２２は、一端にガイド溝２５Ｌを有し、他端にガイド溝２５Ｒを有する。なお、ガイド溝２５Ｌは、握り部２２に設ける他、棒状部材２１Ｌの上部に設けてもよい。同様に、ガイド溝２５Ｒは、握り部２２の設ける他、棒状部材２１Ｒの上部に設けてもよい。
【００２６】
ガイド溝２５Ｌ、２５Ｒは、１個の握り部２２当たり、２箇所設けたが、中央付近に１箇所のみ設けることや、３箇所以上設けることもできるため、その数は任意である。
ただし、２個であれば、ロック解除ボタン２３を挟んで、ガイド溝２５Ｌとガイド溝２５Ｒを対称に配置することができ、外観性が高まる。
【００２７】
ケース本体１１は、上部に握り部２２を収納する凹部２４を備えている。この凹部２４の底に操作面５１が露出するようにして、ケース本体１１に紐状体巻き取り機構５０が内蔵されている。
握り部２２が凹部２４に収納されたときには、操作面５１は握り部２２で覆われる。
このときに、外部の物品が操作面５１に向かっても、握り部２２に当たるだけで、操作面５１に当たらない。すなわち、操作面５１が握り部２２で保護される。
【００２８】
ところで、利用者が所有者からスーツケース１０を借用することがある。利用者（借用者）は、スーツケース１０の構造に詳しくない。
この場合を想定すると、操作面５１を凹部の底以外の場所に露出するようにしてもよい。そうすると、操作面５１が常時目視可能であり、スーツケース１０に紐状体が備えられていることが認識できる。
【００２９】
図２に示すように、ストッパ機構付きキャスター３０は、ケース本体１１の底に当てるフランジ３１と、このフランジ３１に鉛直軸回りに旋回可能に取付けられている旋回ブラケット３２と、この旋回ブラケット３２の下部に取付けられる車軸３３と、この車軸３３で支持される車輪３４と、旋回ブラケット３２に設けられるストッパ機構４０とからなる。
【００３０】
ストッパ機構無しのキャスター１８は、図２から、ストッパ機構４０を省いた構造物である。その他は共通であるため、キャスター１８の詳細な図面及び詳細な説明は省略する。
【００３１】
また、スーツケース１０の形式によっては、２個又１個の非旋回車輪（非旋回ブラケットと車軸と車輪からなる。）と２個のキャスターを備えるものがある。この場合は、２個のキャスターをストッパ機構付きキャスター３０にすればよい。
すなわち、スーツケース１０に備える車輪は、全部がキャスターであっても、一部がキャスターであってもよい。
【００３２】
ストッパ機構４０は、旋回ブラケット３２の高さ方向略中央位置から水平に伸ばされたサブブラケット４１と、このサブブラケット４１の先端に取付けられたピン４２と、このピン４２で支持される揺動部材４３と、旋回ブラケット３２の上部から車輪３４の外周に向かって降ろされた制動板４４とからなる。
【００３３】
揺動部材４３は、先端に設けられ利用者が手又は足で操作する操作片４５と、基部に設けられるカム部４６とを有する。
図２ではカム部４６の大径部４６ａが、制動板４４を押しているため、制動板４４が車輪３４に当たっている。結果、車輪３４は制動状態（ストップ状態）となり、回転しない。
【００３４】
次に、操作片４５を押し上げると、揺動部材４３が図面反時計方向に回転する。
すると、図３に示すように、カム部４６の小径部４６ｂが制動板４４に臨み、制動板４４が車輪３４から離れる。結果、車輪３４は非制動状態（フリー状態）となり、回転可能となる。
【００３５】
次に、図４〜図６に基づいて、紐状体巻き取り機構５０の構造の一例を、説明する。
図４に示すように、紐状体巻き取り機構５０は、角形の筐体５２に収められている。この筐体５２は、複数の耳片５３を有し、これらの耳片５３及びビスを用いてケース本体（図１、符号１１）の内面に固定される。
【００３６】
筐体５２は、上面が操作面５１となっている。
操作面５１には、リング８１を収納するリング収納凹部５４と、巻き取りボタン５５と、アンロックボタン５６と、リング挿入口５７とが設けられている。
筐体５２の形態は、角形の他、Ｕ字形であってもよい。
【００３７】
図５に示すように、筐体５２は、例えば、筐体本体５２ａと、この筐体本体５２ａの開口を塞ぐリッド５２ｂとからなる。リッド５２ｂに有底円筒部５２ｃが一体形成され、この有底円筒部５２ｃにリール５９が回転可能に止められている。このリール５９に紐状体８０が多数回巻かれている。
【００３８】
加えて、リール５９に渦巻きばね６１が収納され、この渦巻きばね６１の一端が有底円筒部５２ｃに固定され、他端がリール５９に固定されている。渦巻きばね６１は、自由状態からリール５９を所定の方向へ回すと回転エネルギーが蓄積される。リール５９を解放すると、自由状態に戻るように逆回転する。
【００３９】
紐状体８０は、洗濯物を吊すことができる強度を有し、化学繊維を編んでなる紐、天然繊維を編んでなる紐、金属糸を編んでなるワイヤの何れでもよく、要は、紐の形態であればよく、材質は問わない。
また、紐状体８０は、円断面を基本とするが、楕円などの非正円断面や矩形断面やリボンやベルトでもよく、形状は限定されない。
【００４０】
図６に示すように、リール５９の外周にラチェット歯６２が形成されている。このラチェット歯６２と巻き取りボタン５５との間に、第２揺動部材６３が設けられている。この第２揺動部材６３は一端にラチェット爪６４を有し、他端が巻き取りボタン５５に当たっている。
第２揺動部材６３は、筐体５２側の支軸６５で支持され、第１戻しばね６６により、ラチェット爪６４がラチェット歯６２に噛み合う方向へ付勢されている。第１戻しばね６６により、巻き取りボタン５５は押し上げられる。
【００４１】
リング８１を利用者の指で引くと、ラチェット歯６２がラチェット爪６４の下を通過する。ラチェット爪６４でラチェット歯６２が拘束されないため、リール５９は図面時計方向に回転する。紐状体８０を継続して筐体５２から引き出すことができる。
紐状体８０を緩めると、渦巻きばね（図５、符号６１）の戻し作用で、リール５９は図面反時計方向に回ろうとする。このとき、ラチェット爪６４がラチェット歯６２に噛み合うためリール５９の回転は阻止される。
【００４２】
次に、利用者の指で、巻き取りボタン５５を押し下げると、ラチェット爪６４がラチェット歯６２から外れる。すると、リール５９が図面反時計方向に回り、紐状体８０がリール５９で巻き取られる。
【００４３】
また、リング挿入口５７にリングロック機構７０が設けられている。
リングロック機構７０は、例えば、アンロックボタン５６を押し上げる第２戻しばね７１と、アンロックボタン５６に設けられたカム溝７２と、このカム溝７２に嵌るカムピン７３と、このカムピン７３からリング挿入口５７まで延びるロック片７４とからなる。
【００４４】
ロック片７４は、先端に斜面７４ａを有する。リング挿入口５７へリング８１を挿入すると、このリング８１は斜面７４ａを押してロック片７４を後退させる。リング８１が更に下がるとロック片７４は戻る。戻ったロック片７４で、リング８１の抜けが防止される。これで、紐状体８０の先端が紐状体巻き取り機構５０が掛け止められる。
【００４５】
利用者の指で、アンロックボタン５６が押し下げられると、カム溝７２とカムピン７３とのカム作用により、ロック片７４が後退する（図面では左へ移動する）。すると、ロック片７４からリング８１が外れる（アンロック状態になる）。これで、紐状体８０の先端が紐状体巻き取り機構５０から解放される。
【００４６】
図７に基づいて、紐状体８０の作用を説明する。
図７（ａ）は、ツインルームを利用するなどして、２つのスーツケース１０、１０Ｂ（Ｂは区別するために便宜的に付した添え字である。以下同じ）がある場合の例である。
一方のスーツケース１０から他方のスーツケース１０Ｂを離して配置する。２つのスーツケース１０、１０Ｂのストッパ機構４０を制動状態にすると共に伸縮ハンドル２０、２０Ｂを一杯に伸ばす。
これで、握り部２２、２２Ｂが高位置になる。
【００４７】
一方のスーツケース１０から一方の紐状体８０を引き出し、一方の握り部２２に設けたガイド溝２５Ｌに嵌めつつ、他方の握り部２２Ｂに設けたガイド溝２５Ｒに嵌め、その後に、他方のスーツケース１０Ｂ側のリング挿入口５７Ｂに一方の紐状体８０の先端のリングを挿入し、止める。
同様に、他方のスーツケース１０Ｂから他方の紐状体８０Ｂを引き出し、他方の握り部２２Ｂに設けたガイド溝２５Ｌに嵌めつつ、一方の握り部２２に設けたガイド溝２５Ｒに嵌め、その後に、一方のスーツケース１０側のリング挿入口５７に他方の紐状体８０Ｂの先端のリングを挿入し、止める。
【００４８】
２条の紐状体８０、８０Ｂに、タオルなどの洗濯物８３を掛ける。洗濯物８３の重みでスーツケース１０、１０Ｂに水平力が加わるが、ストッパ機構４０が制動状態であるため、スーツケース１０、１０Ｂが床上を移動する心配はない。
【００４９】
図７（ｂ）は、シングルルームを利用するなどして、１つのスーツケース１０がある場合の例である。
ホテルや旅館の部屋の壁に、タオル掛けや手摺りのためにコ字部材８４が取付けられている。部屋に無い場合には、浴室の壁に設けられているタオル掛けが、コ字部材８４として利用できる。
コ字部材８４からスーツケース１０を離して配置する。スーツケース１０のストッパ機構４０を制動状態にすると共に伸縮ハンドル２０を一杯に伸ばす。これで、握り部２２が高位置になる。
【００５０】
スーツケース１０から紐状体８０を引き出し、握り部２２に設けたガイド溝２５Ｌに嵌めつつ、さらに引き出す。紐状体８０をコ字部材８４に適宜巻き付け、その後に、握り部２２に設けたガイド溝２５Ｒに嵌めつつ、スーツケース１０側のリング挿入口５７に紐状体８０の先端のリングを挿入し、止める。
【００５１】
２条の紐状体８０に、タオルなどの洗濯物８３を掛ける。洗濯物８３の重みでスーツケース１０に水平力が加わるが、ストッパ機構４０が制動状態であるため、スーツケース１０が移動する心配はない。
【００５２】
なお、スーツケース１０は、リング挿入口５７を省くことができる。リング挿入口５７を有していないスーツケース１０の場合は、図７（ｂ）に示す紐状体８０の先端を、部屋の備品（例えば、背の高いスタンド）に縛り付ければよい。リング挿入口５７が無いので、リング８１は省くことができる。
【００５３】
図７で説明したように、ホテルや旅館の部屋での物干しが可能となり、旅行等に携帯する衣類（特に下着）の数を大幅に減らすことができ、荷物の減量が達成できる。
【００５４】
紐状体８０を２条にすると洗濯物８３が乾き安い。ただし、紐状体８０は１条の形態にしてもよい。具体的には、図７（ａ）で、他方の紐状体８０Ｂは収納させたままとして、一方の紐状体８０のみを使用する。
【００５５】
紐状体８０、８０Ｂはスーツケース１０、１０Ｂに付属しているため、紛失の心配がない。
紐状体８０、８０Ｂを収納状態にすると、図１の形態となる。
【００５６】
図７では、紐状体８０、８０Ｂは、洗濯物８３を吊す物干し紐として活用した。しかし、紐状体８０、８０Ｂの用途は、物干し紐に限定されない。
例えば、画家であればスケッチを紐状体８０に吊して眺めることができる。書道家であれば、画仙紙を紐状体８０に吊して眺めることができる。建築士であれば、設計図を紐状体８０に吊して眺めることができる。
【００５７】
ホテルや旅館では壁に釘やフックを設けることが禁じられているが、本考案によれば、釘やフックを壁に打ち込むことなく、作品等を吊り下げることができる。
また、屋外の広場やホテルのロビーで、ミニ展示会を開催することもできる。
【００５８】
また、図８に示すように、紐状体８０に、長さ寸法を測る目盛り８６を付しておけば、紐状体８０で物品の寸法を測ることができる。
メジャー（巻き尺）が無くても寸法計測が可能であるため、便利である。また、メジャーは紛失する心配があるが、紐状体８０はスーツケース１０に付属しているため、紐状体８０が紛失する心配はない。
この紐状体８０に、洗濯物等を吊すことができるため、紐状体８０の用途が広がる。
【００５９】
紐状体８０は、以上に述べた用途のほか、さらに別の用途に使用することができる。その具体例を、図９に基づいて説明する。
図９（ａ）に示すように、ビジネスバッグ８８等の手荷物を、スーツケース１０の上面に載せる。次に、紐状体巻き取り機構５０から、紐状体８０を引き出す。この紐状体８０は、ビジネスバッグ８８の底面を迂回しつつ、ハンドル１６に通し、ビジネスバッグ８８の側面に巻き付け、伸縮ハンドル２０のガイド溝２５Ｒに掛け、リング挿入口５７に挿入し固定する。
【００６０】
なお、紐状体８０の掛け方は、利用者の好みによって変更することは差し支えなく、紐状体巻き取り機構５０から引き出した紐状体８０をガイド溝２５Ｌに掛け、ビジネスバッグ８８の上面、側面及び底面に巻き付け、ハンドル１６を通した後に、リング挿入口５７に挿入し固定するようにしてもよい。
【００６１】
または、図９（ｂ）に示すように、ドラムバッグ８９等の手荷物を、スーツケース１０の上面に載せる。次に、紐状体巻き取り機構５０から、紐状体８０を引き出す。この紐状体８０は、ドラムバッグ８９の底面を迂回しつつ、ハンドル１６に通し、ドラムバッグ８９の側面及び上面に巻き付けた後、リング挿入口５７に挿入し固定する。
紐状体８０は、ドラムバッグ８９に複数回巻き付けてもよい。
【００６２】
ドラムバッグ８９は、袋に入れたスリーピングバッグ（寝袋）、寝袋の下に敷くマットであってもよい。
よって、手荷物は大小を問わず、スーツケース１０の上に括り付けることができる。
【００６３】
尚、紐状体巻き取り機構５０や、キャスター１８や、ストッパ機構４０や、リング８１の構造は、実施例に限定されるものではなく、適宜変更して差し支えない。
特にリング８１は、Ｄ形リング、丸リングの他、ロック片７４を貫通させる穴が開いたプレートであってもよい。プレートであれば、より摘み易くなる。
【００６４】
また、スーツケース１０は、狭義の衣装ケース（可搬ケース）に限定するものではなく、バッグや鞄を含む広義の物入れケース（可搬ケース）である。
【産業上の利用可能性】
【００６５】
本考案は、ホテルや旅館の宿泊者が携行するスーツケースに好適である。
【符号の説明】
【００６６】
１０…スーツケース、１１…ケース本体、１２…蓋体、１８…キャスター、２０…伸縮ハンドル、２２…握り部、２４…凹部、２５Ｌ、２５Ｒ…ガイド溝、３０…ストッパ機構付きキャスター、４０…ストッパ機構、５０…紐状体巻き取り機構、５１…操作面、５７…リング挿入口、８０…紐状体、８１…リング、８３…洗濯物、８６…目盛り。
【図１】
0003216666.tif 000003
【図２】
0003216666.tif 000004
【図３】
0003216666.tif 000005
【図４】
0003216666.tif 000006
【図５】
0003216666.tif 000007
【図６】
0003216666.tif 000008
【図７】
0003216666.tif 000009
【図８】
0003216666.tif 000010
【図９】
0003216666.tif 000011